(57)【要約】【課題】非常に安価に、しかも非常に簡単に装着できて暖房効率、及び冷房効率を向上させ、社会問題ともなっている廃プラスチック等のリサイクルにも役立つ窓ガラス断熱パネルを提供する。【解決手段】天板１と、該天板１の周縁から下方へ延びる側板２を備えた、開口部を下面に有する蓋体であって、前記天板１の下面に装着台３を設け、該装着台３の先端平面に自重を保持する粘着力を有する粘着剤層４を設け、該粘着剤層４の粘着面４ａが、蓋体下面の開口部を出ないよう構成することを特徴としている。【選択図】　図１
2004124392.tif 000002
【特許請求の範囲】
【請求項１】
天板と、該天板の周縁から下方へ延びる側板を備えた、開口部を下面に有する蓋体であって、前記天板の下面に装着台を設け、該装着台の先端平面に自重を保持する粘着力を有する粘着剤層を設け、該粘着剤層の粘着面が、蓋体下面の開口部を出ないよう構成したことを特徴とする窓ガラス断熱パネル。
【発明の詳細な説明】
【０００１】
【産業上の利用分野】
本発明は、窓ガラスに装着することによって窓ガラスとの間に空気層を形成し、熱の貫流を軽減し、暖房効率、及び冷房効率を向上させることを目的とする窓ガラス断熱パネルに関する。
【０００２】
【従来の技術】
従来は断熱構造を有したシートやボードを窓ガラスの大きさに切り、それを貼るなどして非常に手間がかかっていた。また、それらは高価であった。
【０００３】
【発明が解決しようとする課題】
本発明は従来の欠点である手間と費用を削減し、さらに暖房効率、及び冷房効率を向上させることにある。
【０００４】
【課題を解決するための手段】
本発明は、窓ガラスに装着することによって窓ガラスとの間に空気層を形成し、熱の貫流を軽減することを目的とする窓ガラス断熱パネルであり、天板１と、その天板１の周縁から下方へ延びる側板２を備えた、開口部を下面に有する薄板製の浅い蓋体をなし、前記天板１の下面に装着台３を設け、その装着台３の先端平面に自重を保持する粘着力を有する粘着剤層４を設け、その粘着剤層４の粘着面４ａが、蓋体下面の開口部を出ないよう構成したことを特徴としている。
【０００５】
本発明である窓ガラス断熱パネルの高さは、断熱効果と、スライド式の窓ガラスに装着した場合に開閉に支障をきたさないように考慮し、４ｍｍから８ｍｍ程度とするのが望ましいが、装着する窓の形状、使用方法によってはこの限りではない。
また、窓ガラス断熱パネルの縦、及び横の寸法は１５ｃｍから４０ｃｍ程度が最適かと思われるが、上記同様、装着する窓の形状、使用方法によってはこの限りではない。
【０００６】
側板２は、天板１の周縁から下方へ外開き傾向に延ばすことによって、窓ガラス断熱パネルを重ねたときに嵩を減らすことができ、運搬効率、販売効率を向上させ、より安価に提供することができる。
天板１と側板２の角度は９２°から９７°程度が理想的と考える。
【０００７】
粘着剤層４の粘着面４ａが、蓋体下面の開口部を出ないよう構成するのは、窓ガラス断熱パネルを窓ガラスに装着したとき、窓ガラスと側板下端２ａとの間に隙間ができないようにするためである。
さらに粘着剤層４の粘着面４ａが、蓋体下面の開口部の内側になるように構成した場合には、窓ガラス断熱パネルを窓ガラスに装着した際に、天板１の反発によって側板下端２ａが窓ガラスにしっかりと密着するので理想的である。装着台３に設ける粘着剤層４の粘着面４ａは、蓋体下面の開口部の、側板下端２ａから内側に１ｍｍから３ｍｍ程度が良好であるが、材質、窓ガラス断熱パネルの大きさ等によって天板１の反発力が異なるため最適な位置を選択する。
また、装着台３を１カ所のみに設ける場合には、天板１の下面の中央付近に設け、装着台３を複数カ所に設ける場合には、装着した際に側板下端２ａが窓ガラスに偏りなく密着するように配置して設ける。
【０００８】
【発明の実施の形態】
本発明は窓ガラス等に貼り付けて省エネに有効な窓ガラス断熱パネルに係り、天板１と側板２及び、実施例１のような一体成型の場合の装着台３の材質はＰＶＣ（ポリ塩化ビニル）、ＰＰ（ポリプロピレン）、ＰＥ（ポリエチレン）、ＰＥＴ（ポリエチレンテレフタレート）等のプラスチックにより透明、半透明の薄板によって形成する。
遮光を目的とする場合には有色素材や紙等を使用することも有効である。さらに、天板１の表面に細かな凹凸、溝、搬を施して視線を遮ることにも有効である。
【０００９】
実施例２のように装着台３を発泡スチロール、スポンジ、ウレタンホォーム等の材料で形成した場合には、その装着台３の両面に粘着剤層４を設け、天板１の下面に貼りつける。その場合にも、やはり窓ガラス５に装着するための粘着剤層４の粘着面４ａが、蓋体下面の開口部から出ないように構成する。
【００１０】
粘着剤層４は自重を保持する粘着力を有する粘着剤、両面粘着テープ等によって設ける。
【００１１】
窓ガラスが透けることを想定し、装着台３の形状を星型、花型、ハート型、ダイヤ型等にデザインすると外からの見栄えもよい。
【００１２】
【発明の効果】
本発明は以上のように構成したので、使用する際には、窓ガラス断熱パネルに設けられた装着台３の粘着剤層４の粘着面４ａを窓ガラス５に押し付けて貼り付けるのである。それにより窓ガラスと窓ガラス断熱パネルとの間に空気を閉じ込めて空気層を形成し、熱の貫流を軽減するのである。
社会問題ともなっているペットボトル等の廃プラスチックのリサイクルにも役立ち、一石二鳥といえよう。
【図面の簡単な説明】
【図１】本発明である窓ガラス断熱パネルの実施例１の斜視図である。
【図２】本発明である窓ガラス断熱パネルの実施例１の断面図である。
【図３】本考案である窓ガラス断熱パネルの実施例１の図２に示したＡの拡大図である。
【図４】本発明である窓ガラス断熱パネルの実施例１を窓ガラスに装着した様子を示す断面図である。
【図５】本発明である窓ガラス断熱パネルの実施例２の斜視図である。
【図６】本発明である窓ガラス断熱パネルの実施例２の装着台３の側面図である。
【図７】本発明である窓ガラス断熱パネルの実施例１、実施例２を窓ガラスに装着した様子を示す正面図である。
【符号の説明】
１　　　天板
２　　　側板
２ａ　　側板下端
３　　　装着台
４　　　粘着剤層
４ａ　　粘着面
５　　　窓ガラス
【図１】
2004124392.tif 000003
【図２】
2004124392.tif 000004
【図３】
2004124392.tif 000005
【図４】
2004124392.tif 000006
【図５】
2004124392.tif 000007
【図６】
2004124392.tif 000008
【図７】
2004124392.tif 000009
【手続補正書】
【提出日】平成14年10月7日(2002.10.7)
【手続補正１】
【補正対象書類名】明細書
【補正対象項目名】０００８
【補正方法】変更
【補正の内容】
【０００８】
【発明の実施の形態】
本発明は窓ガラス等に貼り付けて省エネに有効な窓ガラス断熱パネルに係り、天板１と側板２及び、実施例１のような一体成型の場合の装着台３の材質はＰＶＣ（ポリ塩化ビニル）、ＰＰ（ポリプロピレン）、ＰＥ（ポリエチレン）、ＰＥＴ（ポリエチレンテレフタレート）等のプラスチックにより透明、半透明の薄板によって形成する。
遮光を目的とする場合には有色素材や紙等を使用することも有効である。さらに、天板１の表面に細かな凹凸、溝、皺を施して視線を遮ることも有効である。
【手続補正２】
【補正対象書類名】明細書
【補正対象項目名】図３
【補正方法】変更
【補正の内容】
【図３】本発明である窓ガラス断熱パネルの実施例１の図２に示したＡの拡大図である。